(57)【要約】【課題】クランクシャフトの疲労強度をさらに改善するために、衝撃を与えて硬化させるため方法及び装置をさらに開発する。【解決手段】  クランクシャフト（４）の渡り部（８）、特に、上記クランクシャフト（４）の連接棒軸受ジャーナル（５）とクランクウェブ（７）との間の渡り部（８）及び／又は上記クランクシャフト（４）の主軸受ジャーナル（６）と上記クランクウェブ（７）との間の渡り部（８）に衝撃を与えて硬化させる方法であって、上記渡り部（８）の少なくとも１つに衝撃力（ＦＳ）を導入するために、上記クランクシャフト（４）の周囲を環状に取り囲むように延びるそれぞれの上記渡り部（８）に沿って高負荷領域（ＢＭＡＸ）、低負荷領域（ＢＭＩＮ）、及び介在する中間領域（ＢＺＷ）を定義し、上記中間領域（ＢＺＷ）に導入される上記衝撃力（ＦＳ）が、上記高負荷領域（ＢＭＡＸ）の方向に向かって増加するように衝撃硬化を行うことを特徴とする衝撃硬化方法を提供する。【選択図】図１
2020530814.tif 000002
【特許請求の範囲】
【請求項１】
クランクシャフト（４）の渡り部（８）、特に、前記クランクシャフト（４）の連接棒軸受ジャーナル（５）とクランクウェブ（７）との間の渡り部（８）及び／又は前記クランクシャフト（４）の主軸受ジャーナル（６）と前記クランクウェブ（７）との間の渡り部（８）に衝撃を与えて硬化させる方法であって、
前記渡り部（８）の少なくとも１つに衝撃力（ＦＳ）を導入するために、前記クランクシャフト（４）の周囲を環状に取り囲むように延びるそれぞれの前記渡り部（８）に沿って高負荷領域（ＢＭＡＸ）、低負荷領域（ＢＭＩＮ）、及び介在する中間領域（ＢＺＷ）を定義し、
前記中間領域（ＢＺＷ）に導入される前記衝撃力（ＦＳ）が、前記高負荷領域（ＢＭＡＸ）の方向に向かって増加するように衝撃硬化を行うことを特徴とする
衝撃硬化方法。
【請求項２】
請求項１に記載の衝撃硬化方法であって、
前記中間領域（ＢＺＷ）に導入される前記衝撃力（ＦＳ）が、前記高負荷領域（ＢＭＡＸ）の方向に絶え間なく増加することを特徴とする
衝撃硬化方法。
【請求項３】
請求項１又は２に記載の衝撃硬化方法であって、
前記中間領域（ＢＺＷ）に導入される前記衝撃力（ＦＳ）が、前記高負荷領域（ＢＭＡＸ）の方向に均一及び／又は直線的に増加することを特徴とする
衝撃硬化方法。
【請求項４】
請求項１、２、又は３のいずれか１つに記載の衝撃硬化方法であって、
前記衝撃硬化中に、前記低負荷領域（ＢＭＩＮ）に衝撃力（ＦＳ）が導入されないか、あるいは、前記中間領域（ＢＺＷ）に導入される最小衝撃力（ＦＳ）以下の衝撃力（ＦＳ）のみが、前記低負荷領域（ＢＭＩＮ）に導入されることを特徴とする
衝撃硬化方法。
【請求項５】
請求項１〜４のいずれか１つに記載の衝撃硬化方法であって、
前記衝撃硬化中に、前記中間領域（ＢＺＷ）に導入される最大衝撃力（ＦＳ）以上の衝撃力（ＦＳ）が、前記高負荷領域（ＢＭＡＸ）に導入されることを特徴とする
衝撃硬化方法。
【請求項６】
請求項１〜５のいずれか１つに記載の衝撃硬化方法であって、
前記衝撃硬化中に前記高負荷領域（ＢＭＡＸ）に導入される衝撃力（ＦＳ）が、前記クランクシャフト（４）の所望の疲労強度及び／又は前記クランクシャフト（４）の一部の所望の疲労強度に基づいて決定されることを特徴とする
衝撃硬化方法。
【請求項７】
請求項１〜６のいずれか１つに記載の衝撃硬化方法であって、
前記衝撃硬化中に前記高負荷領域（ＢＭＡＸ）に導入される衝撃力（ＦＳ）が一定であることを特徴とする
衝撃硬化方法。
【請求項８】
請求項１〜７のいずれか１つに記載の衝撃硬化方法であって、
前記連接棒軸受ジャーナル（５）の周囲を環状に取り囲むように延びる前記渡り部（８）に沿って、前記高負荷領域（ＢＭＡＸ）が、前記連接棒軸受ジャーナル（５）の最大負荷点（ＢＤＣ）の少なくとも±２０°、好ましくは少なくとも±３０°、より好ましくは少なくとも±４０°、特に好ましくは少なくとも±５０°、特に大変好ましくは少なくとも±６０°、少なくとも±７０°、少なくとも±８０°、又は少なくとも±９０°の位置にあることを特徴とする
衝撃硬化方法。
【請求項９】
請求項１〜８のいずれか１つに記載の衝撃硬化方法であって、
前記主軸受ジャーナル（６）の周囲を環状に取り囲むように延びる前記渡り部（８）に沿って、高負荷領域（ＢＭＡＸ）が、前記主軸受ジャーナル（６）の最大負荷点（ＴＤＣ）から少なくとも±２０°、好ましくは少なくとも±３０°、より好ましくは少なくとも±４０°、特に好ましくは少なくとも±５０°、特に大変好ましくは少なくとも±６０°、少なくとも±７０°、少なくとも±８０°、又は少なくとも±９０°の位置にあることを特徴とする
衝撃硬化方法。
【請求項１０】
請求項９に記載の衝撃硬化方法であって、
前記主軸受ジャーナル（６）の前記渡り部（８）の前記最大負荷点（ＴＤＣ）が、前記クランクシャフト（４）の断面において、
前記主軸受ジャーナル（６）の前記渡り部（８）と
前記主軸受ジャーナル（６）の中心点（ＭＨ）及び前記主軸受ジャーナル（６）の前記渡り部（８）に隣接する前記連接棒軸受ジャーナル（５）の中心点（ＭＰ）の接続線（ｘ）
との交点にあることを特徴とする
衝撃硬化方法。
【請求項１１】
請求項１〜１０のいずれか１つに記載の衝撃硬化方法であって、
少なくとも１つの衝撃ツール（１６）の衝撃ヘッド（２１）の衝撃痕（２８）が、前記クランクシャフト（４）の周囲を環状に取り囲むように延びるそれぞれの前記渡り部（８）に沿って、定義された方法で重なり合うように前記衝撃硬化を行うことを特徴とする
衝撃硬化方法。
【請求項１２】
請求項１１に記載の衝撃硬化方法であって、
前記少なくとも１つの衝撃ツール（１６）の前記衝撃ヘッド（２１）が、調整可能な衝撃角度（α）で前記衝撃力（ＦＳ）を前記渡り部（８）に導入することを特徴とする
衝撃硬化方法。
【請求項１３】
請求項１２に記載の衝撃硬化方法であって、
前記衝撃硬化のために、衝撃ピストン（２３）、偏向部（２０）、及び前記少なくとも１つの衝撃ツール（１６）を有する衝撃装置（１）を使用し、
前記少なくとも１つの衝撃ツール（１６）を前記偏向部（２０）に締結し、
前記衝撃ピストン（２３）が前記偏向部（２０）により前記少なくとも１つの衝撃ツール（１６）に衝撃を伝達し、その後、前記少なくとも１つの衝撃ツール（１６）の前記衝撃ヘッド（２１）が前記衝撃角度（α）で前記渡り部（８）に前記衝撃力（ＦＳ）を導入し、
前記衝撃角度（α）が、前記偏向部（２０）の偏向点（ＵＰ）と前記少なくとも１つの衝撃ツール（１６）の前記衝撃ヘッドの前端（２１）との間の間隔（ｄ）を調整することにより設定されることを特徴とする
衝撃硬化方法。
【請求項１４】
請求項１〜１３のいずれか１つに記載の衝撃硬化方法であって、
前記衝撃硬化のために、最初に駆動装置（３）によって前記クランクシャフト（４）を回転方向に沿って衝撃位置に回転させ、
前記クランクシャフト（４）を前記衝撃位置で拘束するために拘束装置（１２）を設け、その後、少なくとも１つの衝撃ツール（１６）により少なくとも１つの渡り部（８）に衝撃力（ＦＳ）を導入することを特徴とする
衝撃硬化方法。
【請求項１５】
クランクシャフト（４）の渡り部（８）、特に、前記クランクシャフト（４）の連接棒軸受ジャーナル（５）とクランクウェブ（７）との間の渡り部（８）及び／又は前記クランクシャフト（４）の主軸受ジャーナル（６）と前記クランクウェブ（７）との間の渡り部（８）を衝撃硬化するための請求項１〜１３のいずれか１つに記載の衝撃硬化方法を実施するための装置。
【請求項１６】
請求項１〜１４のいずれか１つに記載の衝撃硬化方法に従って製造されたクランクシャフト（４）。
【発明の詳細な説明】
【技術分野】
【０００１】
本発明は、請求項１のプリアンブルに記載の、クランクシャフトの渡り部、特に連接棒軸受ジャーナルとクランクウェブとの間の渡り部及び／又は主軸受ジャーナルとクランクシャフトのクランクウェブとの間の渡り部に衝撃を与えて硬化させる（以下、衝撃硬化とする）ための方法に関する。
【０００２】
本発明はまた、クランクシャフトの渡り部を衝撃硬化するための方法を実施するための装置に関する。
【０００３】
本発明はまた、クランクシャフトに関する。
【背景技術】
【０００４】
内燃機関の開発が継続的に進められ、その性能が向上し、当該内燃機関には厳しい排出要件が課せられるようになったため、現代のエンジンには、これまで以上に大きな負荷がかけられている。このため、自動車産業においては、特に、高負荷を受け、かつ、内燃機関の機能にとって重要なクランクシャフトの強度に関して高い要求が課されている。ここで、構造の観点から要求されることが多いのは、クランクシャフトの軽量化と必要スペースの縮小である。
これは、クランクシャフトの設計においては、断面積の増加、すなわち、クランクシャフトの断面係数ではなく、可能な限り、局所的な内部圧縮応力状態によって負荷容量を増加させるべきであるということを意味する。このため、現代のクランクシャフトは、さらなる高レベルのエンジン出力にさらされるので、様々な機械加工及び熱処理方法を使用して製造される。
【０００５】
このような方法の例として、誘導及び表面硬化、レーザ硬化、又は窒化による表面硬化法等の熱処理、並びにディープローリング、ショットピーニング、又は衝撃硬化等のひずみ硬化法が挙げられる。これらの方法は一般的、かつ、よく確立された方法であることがほとんどであり、様々な目的に適している。
【０００６】
このような方法の例に関して、以下の文献を参照する：EP 1 479 480 A1、EP 0 788 419 B1、 EP 1 612 290 A1、DE 10 2007 028 888 A1、及び EP 1 034 314 B1。
【０００７】
特に、衝撃硬化は、クランクシャフトの疲労強度、特に、曲げ疲労強度及びねじり疲労強度を高めるために有利な方法である。ここでは、断面の渡り部及び断面の移行部の負荷領域において、冷間加工、好ましくは、特別な衝撃ツールによる打撃によってクランクシャフトに衝撃力を導入することにより、疲労強度を高める。このような処理の例として、DE 34 38 742 C2及びEP 1 716 260 B1を参照する。
【０００８】
局所的な打撃中の剪断応力の好ましくない導入を防ぐために、DE 34 38 742 C2では、圧力パルス動作時、パルス印加体とツール表面との間に、パルス方向に対して横方向に相対的な動きが生じないようにすることが提案されている。この目的のため、衝撃ツールによる内部圧縮応力の導入中の送り運動は、段階的に実行されるであろう。
【０００９】
この方法をさらに発展させたものとして、EP 1 716 260 B1には、機械加工処理中にクランクシャフトを連続的に回転させ、機械加工されるクランクシャフトセグメントに対する衝撃ツールの衝撃による内部圧縮応力の導入中、当該衝撃ツールがクランクシャフトに作用している間は、クランクシャフトの回転運動を停止させることが提案されている。ここで、衝撃圧力は、クランクシャフトの回転運動が当該衝撃運動によって強制的に停止するように選択される。
【００１０】
ただし、この目的で、駆動装置が「強制停止」によって損傷するのを防ぐために、駆動装置内にトランスミッション、クラッチ、及び／又はスプリング・システム等の複雑な部品が必要となる。さらに、クランクシャフトの回転運動（点火時調整）と内部圧縮応力の導入は、処理に関して信頼できる方法で同期しなければならない。ここで、堅牢な装置を保証するために必要な機械部品は、複雑で高価である。
【先行技術文献】
【特許文献】
【００１１】
【特許文献１】EP 1 479 480 A1
【特許文献２】EP 0 788 419 B1
【特許文献３】EP 1 612 290 A1
【特許文献４】DE 10 2007 028 888 A1
【特許文献５】EP 1 034 314 B1
【特許文献６】DE 34 38 742 C2
【特許文献７】EP 1 716 260 B1
【発明の概要】
【発明が解決しようとする課題】
【００１２】
本発明は、クランクシャフトの疲労強度をさらに改善するために、衝撃硬化のための方法及び装置をさらに開発するという目的に基づいている。
【００１３】
最後に、本発明は、改善されたクランクシャフト、特に、その疲労強度に関して改善されたクランクシャフトを提供するという目的にも基づいている。
【課題を解決するための手段】
【００１４】
上記目的は、方法については、請求項１において特定された特徴により、当該方法を実施する装置については、請求項１５において特定された特徴により達成される。
【００１５】
クランクシャフトに関して、当該目的は、請求項１６において特定された特徴により達成される。
【００１６】
以下に記載の従属請求項及び特徴は、本発明の有利な実施形態及び変形例に関する。
【００１７】
本発明に係る衝撃硬化方法において、クランクシャフトの渡り部、特に、連接棒軸受ジャーナルとクランクウェブとの間の渡り部及び／又は主軸受ジャーナルとクランクシャフトのクランクウェブとの間の渡り部が衝撃硬化されるようになっている。
【００１８】
以下、簡潔にするため、連接棒軸受ジャーナル及び主軸受ジャーナルを単に「ジャーナル」と呼ぶ場合もある。ここで、「ジャーナル」という表現は、連接棒軸受ジャーナル及び主軸受ジャーナルの両方を指す場合があり、あるいは、連接棒軸受ジャーナルのみ若しくは主軸受ジャーナルのみを指す場合もある。特に明記されていない限り、本明細書において、この３パターンのジャーナルはすべて「ジャーナル」という表現に包含される。
【００１９】
本発明は、例えば、長さ０．２〜８ｍまたはそれ以上のクランクシャフト及び／もしくは直径３０〜５００ｍｍまたはそれ以上の主軸受ジャーナル及び連接棒軸受ジャーナルを有するクランクシャフトの疲労強度を高めるのに特に好適である。しかしながら、本発明は、長さ１．５〜８ｍまたはそれ以上の大きなクランクシャフト及び／もしくは直径１００〜５００ｍｍまたはそれ以上の主軸受ジャーナル及び連接棒軸受ジャーナルを有する大きなクランクシャフトの疲労強度を高めるのに特に大変好適である。
【００２０】
クランクシャフトは、様々な種類の渡り部、例えば、３心アーチ形状等を有するフィレット部分又はアンダーカット部分若しくは渡りを伴う部分を有していてもよい。渡り部は、例えば、主軸受ジャーナル及び連接棒軸受ジャーナルの軸受ジャーナルポイント又は走行面に対して接線方向に設けられてもよい。
【００２１】
これは、接線部分及びアンダーカット部分の両方について、フランジ、ジャーナル、及び断面における他の幾何学的移行部への渡りに対しても当てはまる。
【００２２】
クランクシャフトは、通常、断面における渡り、すなわち、移行部のすべてにおいて渡り部を有する。これは、特に、軸受ジャーナルとクランクウェブとの間の断面における移行部に当てはまる。本発明は、これらに特に適している。ただし、断面における他の移行部、特に、クランクシャフトの端部、特に、フランジ、ディスク、又はシャフト等への渡りにおける断面の移行部に対して、渡り部が設けられてもよい。
したがって、本発明に係る方法及び／又は本発明に係る装置によって疲労強度が改善される渡り部は、連接棒軸受ジャーナルとクランクウェブとの間又は主軸受ジャーナルとクランクウェブとの間に必ずしも存在する必要はなく、むしろ、クランクシャフトの任意の位置に配置されてもよい。「連接棒軸受ジャーナル」、「主軸受ジャーナル」、「フランジ」、「ジャーナル」、及び／又は「クランクウェブ」という表現は、当業者によって適宜再解釈されてもよい。
【００２３】
連接棒軸受ジャーナルとクランクウェブとの間及び／又は主軸受ジャーナルとクランクウェブとの間の渡り部の硬化に実質的に基づいて、本発明を以下に説明する。ただし、これは限定的なものとして理解されるべきものではなく、単に理解度の向上又は読みやすさの向上を目的としている。本発明の文脈において渡り部について言及する場合、この渡り部は、基本的に、クランクシャフトの任意の位置における渡り部であってもよい。
【００２４】
本発明によれば、渡り部の少なくとも１つに衝撃力を導入するために、高負荷領域、低負荷領域、及び介在する中間領域が、クランクシャフトの周囲（特に、連接棒軸受ジャーナル及び／又は主軸受ジャーナルの周囲）を環状に取り囲むように延びるそれぞれの渡り部に沿って定義されるようになっており、衝撃硬化は、中間領域に導入される衝撃力が高負荷領域の方向に向かって増加するように行われる。
【００２５】
衝撃力の導入は、衝撃ツールの衝撃ヘッド、又は、衝撃装置のいわゆる「ヘッダー」が、硬化対象のクランクシャフトの領域（本例では、渡り部）に衝突することを意味すると理解できる。ここで、衝突は、ジャーナルの周囲を環状に取り囲むように延びる渡り部に沿って、所望の衝撃位置で、目的に応じて行われる。
【００２６】
本例の場合、高負荷領域は、特にエンジンの動作中に張力等の特に高い負荷を受けるクランクシャフトのそれぞれの渡り部の領域を意味する。クランクシャフトの負荷容量については、渡り部の高負荷領域を考慮することが重要である。これらの領域に、最大の内部圧縮応力を優先的に導入すべきである。
【００２７】
高負荷領域は、渡り部の周囲に沿った領域及び／又はクランクシャフトの周囲若しくは連接棒軸受ジャーナル及び／又は主軸受ジャーナルの周囲を環状に取り囲むように延びるそれぞれの渡り部に沿った領域を意味してもよい。
【００２８】
例えば、連接棒軸受ジャーナルのいわゆる下死点の周囲の領域は、本発明の意味の範囲内における高負荷領域であってもよい。下死点は、エンジンの動作中に、連接棒軸受ジャーナルの張力側又は圧力の反対側と呼ばれ得る領域である。
【００２９】
従来技術に係る方法及び装置は、渡り部の衝撃硬化中に、連接棒軸受ジャーナル及び／又は主軸受ジャーナルの周囲を環状に取り囲むように延びるそれぞれの渡り部に沿って一定の衝撃力を導入する。ここで、衝撃力は、クランクシャフトの高負荷領域に十分な内部圧縮応力を導入するのに十分なものとなるように選択される。
【００３０】
ただし、クランクシャフトの堅牢性のために、ほとんど負荷のない領域又は低負荷領域（及び中間領域）に同じ内部圧縮応力を導入する必要はない。クランクシャフトの周囲に沿った渡り部を完全に取り囲んで衝撃硬化することは、高い出費を伴う。
【００３１】
したがって、渡り部の１つ以上の高負荷領域のみに（高）内部圧縮応力を導入することが好ましいであろう。
【００３２】
シミュレーションと一連の試験に基づいて、本発明者らは、特定の渡り部に導入される最大衝撃力が高負荷領域にのみ導入され、かつ、当該衝撃力が中間領域から高負荷領域の方向に向かって増加する場合でも、品質を損なわずに又は品質の改善とともにクランクシャフトの堅牢性又は疲労強度を有利に実現できることを見出した。
【００３３】
このようにして、ある衝撃から次の衝撃へ衝撃力が突然変化することが回避される。
【００３４】
渡り部が（同じ衝撃力で）完全に取り囲まれるようには硬化されなくなったことにより、処理速度を最大にすることができ、さらに、上死点における連接棒軸受ジャーナルへの損傷を回避できる。したがって、本発明に係る方法及び本発明に係る装置は、特に効率的かつ経済的である。同時に、従来技術の既知の方法と少なくとも同じ品質又は堅牢性でクランクシャフトを製造することができる。
【００３５】
渡り部の高負荷領域を集中的に硬化した結果、堅牢性が改善することさえある。
【００３６】
本発明に係る方法及び本発明に係る装置は、他の方法を使用して予め機械加工されたクランクシャフトの場合であっても、その疲労強度特性を高めるために適用又は使用してもよい。例えば、本発明に係る方法に従って内部圧縮応力を導入すること及び／又は本発明に係る装置を使用することにより、高周波焼入れにより硬化したクランクシャフトも、その曲げ疲労強度及びねじり疲労強度に関して遡及的に改善することができる。
【００３７】
本発明の一改良形態では、中間領域に導入される衝撃力を高負荷領域の方向に向かって着実に増加するようにしてもよい。
【００３８】
特に、高負荷領域の両側は中間領域で囲まれていてもよく、これにより、高負荷領域が低負荷領域から分離される。
【００３９】
本発明の文脈において、基本的に、中間領域及び／又は低負荷領域内の衝撃力が任意の所望のプロファイルに従うようにしてもよい。しかし、衝撃力の突然の変化を避けることが好ましく、衝撃力が渡り部の高負荷領域において最大（特に、渡り部の個々のすべての衝撃力の平均及び／又は合計の観点から考慮して最大）であることが好ましい。
【００４０】
中間領域に導入される衝撃力は、高負荷領域の方向に向かって単調に増加することが好ましく、厳密に単調に増加することが特に大変好ましい。
【００４１】
一改良形態では、中間領域に導入される衝撃力が高負荷領域の方向に向かって均一及び／又は直線的に増加するようにしてもよい。
【００４２】
また、任意の所望の数学関数に従って、中間領域に導入される衝撃力を高負荷領域の方向に向かって増加させてもよい。
【００４３】
本発明の一改良形態では、衝撃硬化中に、衝撃力が低負荷領域に導入されないようにするか、あるいは、中間領域に導入される最低衝撃力以下の衝撃力のみが低負荷領域に導入されるようにしてもよい。
【００４４】
好ましくは、渡り部の衝撃硬化が低負荷領域において行われないようにしてもよい。
【００４５】
一改良形態では、最終的に、衝撃硬化中に、渡り部の中間領域に導入される最大衝撃力以上の衝撃力が高負荷領域に導入されるようにしてもよい。
【００４６】
所望の疲労強度を得るために必要な衝撃力のみが各領域に導入されるのが好ましく、当該衝撃力は、衝撃力を変えた方が有利である領域の方向に向かって均一に増加又は減少するのが好ましい。
【００４７】
一改良形態では、特に、衝撃硬化中に高負荷領域に導入される衝撃力が、クランクシャフトの所望の疲労強度及び／又はクランクシャフトの一部の所望の疲労強度に基づいて決定されるようにしてもよい。
【００４８】
したがって、クランクシャフトの所望の疲労強度及び／又はクランクシャフトの一部の所望の疲労強度を得るためには、高負荷領域において必要な衝撃力のみを考慮すれば十分である。
【００４９】
一改良形態では、衝撃硬化中に高負荷領域に導入される衝撃力が一定であるか、あるいは、高負荷領域にわたって一定に保たれるようにしてもよい。
【００５０】
シミュレーション及び試験において、特に、一定強度の（高い）衝撃力を高負荷領域に導入することにより、クランクシャフトの高い疲労強度及び／又は堅牢性を得られることが分かっている。これは、（限定されるわけではないが）特に、高負荷領域から強度が低下する衝撃力、特にある衝撃から次の衝撃まで直線的に減少する衝撃力がそれぞれ中間領域に導入される場合に当てはまり、低負荷領域においては当該衝撃力をゼロに減らしてもよい。
【００５１】
一改良形態では、連接棒軸受ジャーナルの周囲を環状に取り囲むように延びる渡り部に沿って、高負荷領域が連接棒軸受ジャーナルの最大負荷点ポイントから少なくとも±２０°、好ましくは少なくとも±３０°、より好ましくは少なくとも±４０°、特に好ましくは少なくとも±５０°、特に大変好ましくは少なくとも±６０°、例えば、少なくとも±７０°、少なくとも±８０°、又は少なくとも±９０°の位置にあるようしてもよい。
【００５２】
連接棒軸受ジャーナルの周囲を環状に取り囲むように延びる渡り部に沿った高負荷領域の範囲の上限を定義することもでき、この定義によれば、高負荷領域は、連接棒軸受ジャーナルの最大負荷点から最大±９０°、好ましくは最大±８０°、より好ましくは最大±７０°、特に大変好ましくは最大±６０°、例えば、±５０°、例えば、最大±４０°、最大±３０°、又は最大±２０°の位置にある。
【００５３】
連接棒軸受ジャーナルの最大負荷点は、特に、連接棒軸受ジャーナルの下死点である。
【００５４】
したがって、特に、ジャーナルの最大負荷点からジャーナルの周囲に沿って高負荷領域が定義されるようにしてもよい。
【００５５】
一改良形態では、さらに、主軸受ジャーナルの周囲を環状に取り囲むように延びる渡り部に沿って、高負荷領域が主軸受ジャーナルの最大負荷点から少なくとも±２０°、好ましくは少なくとも±３０°、より好ましくは少なくとも±４０°、特に好ましくは少なくとも±５０°、特に大変好ましくは少なくとも±６０°、例えば、少なくとも±７０°、少なくとも±８０°、又は少なくとも±９０°の位置にあるようにしてもよい。
【００５６】
主軸受ジャーナルの周囲を環状に取り囲むように延びる渡り部に沿った高負荷領域の範囲の上限を定義することもでき、この定義によれば、高負荷領域は、主軸受ジャーナルの最大負荷点から最大±９０°、好ましくは最大±８０°、より好ましくは最大±７０°、特に大変好ましくは最大±６０°、例えば、最大±５０°、例えば、最大±４０°，最大±３０°、又は最大±２０°の位置にある。
【００５７】
これは、接線部分及びアンダーカット部分の両方について、フランジ、ジャーナル、及び断面における他の幾何学的移行部への渡りに対しても同様に当てはまる。
【００５８】
高負荷領域又は最大負荷点を決定するために、それぞれのタイプのクランクシャフトのシミュレーション及び／又は計算及び／又は一連のテストを考慮してもよい。
【００５９】
渡り部のそれぞれの高負荷領域又はそれぞれの最大負荷点は、クランクシャフトの個々の渡り部において異なっていてもよい。ただし、高負荷領域又は最大負荷点は、特に一種類の渡り部におけるすべての渡り部において対応していてもよい。高負荷領域又は最大負荷点は、第一に連接棒軸受ジャーナルとクランクウェブとの間、第二に主軸受ジャーナルとクランクウェブとの間において、すべての渡り部に対応していてもよい場合がある。
【００６０】
同じことが１つ以上の中間領域及び低負荷領域にも当てはまる。
【００６１】
高負荷領域は、基本的に、所望のサイズを有していてもよく、例えば、連接棒軸受ジャーナルの下死点又は主軸受ジャーナルの最大負荷点から±２０°未満又は±９０°を超えていてもよい。
【００６２】
本発明の一改良形態では、特に、主軸受ジャーナルの渡り部の（特に、ねじれに関する）最大負荷点が、クランクシャフトの断面において、主軸受ジャーナルの渡り部と主軸受ジャーナルの中心点及び主軸受ジャーナルの渡り部に隣接する連接棒軸受ジャーナルの中心点の接続線との交点にあると定義してもよい。
【００６３】
主軸受ジャーナルの渡り部の最大負荷点は、連接棒軸受ジャーナルの下死点から離れたクランクシャフトの側面に配置されていてもよい。
【００６４】
本発明の一改良形態では、少なくとも１つの衝撃ツールの衝撃ヘッドの衝撃痕がクランクシャフトの周囲（特に、連接棒軸受ジャーナル及び／又は主軸受ジャーナルの周囲）を環状に取り囲むように延びるそれぞれの渡り部に沿って、定義された方法で重なるように衝撃硬化が行われるようにしてもよい。
【００６５】
衝撃痕の重なり及び／又は密接に配置され、かつ、正確に定義された衝撃位置により、疲労強度又は曲げ疲労強度及びねじり疲労強度を特に効果的に高めることができる。
【００６６】
本発明の一改良形態では、さらに、少なくとも１つの衝撃ツール衝撃ヘッドにより、調整可能な衝撃角度で衝撃力を渡り部に導入するようにしてもよい。
【００６７】
高負荷領域、中間領域及び／又は低負荷領域は、渡り部が環状に取り囲むように延びるそれぞれのジャーナルの周囲だけでなく渡り部自体の周囲に関係してもよい。同様に、渡り部の負荷は、渡り部の周囲に沿って変化してもよい。
【００６８】
この観点から、衝撃角度は、クランクシャフトの動作中の最大負荷点に正確に適合した角度、又は曲げ荷重及びねじり荷重を考慮して、渡り部の周囲に関する最大負荷に正確に適合した角度で衝撃力が導入されるように選択される。
【００６９】
本発明の１つの特定の変形例では、この目的のため、衝撃硬化について、衝撃ピストン、偏向部、及び少なくとも１つの衝撃ツールを有する衝撃装置を使用するようにしてもよく、少なくとも１つの衝撃ツールは、偏向部に締結され、衝撃ピストンは、偏向部を介して少なくとも１つの衝撃ツールに衝撃を伝達し、その後、少なくとも１つの衝撃ツールの衝撃ヘッドが上記衝撃角度で衝撃力を渡り部に導入し、衝撃角度は、偏向部の偏向点と少なくとも１つの衝撃ツールの衝撃ヘッドの前端との間の間隔を調整することにより設定される。
【００７０】
この目的のため、衝撃ヘッドに（例えば、空気圧、油圧、及び／又は電気で発生した）強いパルス又は衝撃を伝達する衝撃ピストンを使用してもよい。
【００７１】
衝撃力に応じて、それぞれの衝撃位置に衝撃ヘッドの目に見える衝撃痕が形成される。衝撃痕の深さ及び導入された内部圧縮応力の質又は深さの影響は、この場合、選択した衝撃力に依存する。ツール及び処理パラメータは、それぞれのクランクシャフト及び、ここでは、適切な場合、部分的な幾何学的移行部（断面における移行部）と正確に整合されることが好ましい。
【００７２】
次に、衝撃角度を変えることで、衝撃力を個別に最大荷重に設定したり、最大荷重にさらに正確に合わせたりすることができる。
【００７３】
偏向点は、偏向部の中心点及び／又は１つ以上の衝撃ツールの回転／取付軸であってもよい。
【００７４】
衝撃ヘッドの前端は、衝撃ヘッドの一部（又は表面）を意味し、衝撃硬化を目的として、衝撃ヘッドが前端でクランクシャフトに衝突する。
【００７５】
偏向点と衝撃ヘッドの前端との間の間隔によって、偏向点と衝撃ヘッドの中心点との間の間隔又は偏向点と衝撃ヘッドの後端との間の間隔を調整することもできる。
【００７６】
偏向部の偏向点と衝撃ツールの衝撃ヘッドとの間の間隔が調整可能であることにより、衝撃力が渡り部に導入される角度を変更又は調整することができる。
【００７７】
したがって、偏向部の偏向点と少なくとも１つの衝撃ツールの衝撃ヘッドの前端との間の間隔を変更する特定の変形例により、好ましい点及び好ましい角度で衝撃力を導入することができる。
【００７８】
対照的に、既知の従来技術に係る方法及び装置では、所定の固定角度で衝撃力を渡り部に導入することができるに過ぎない。通常、この目的のために与えられる衝撃角度は約４５°である。
【００７９】
例えば、クランクシャフトの用途によっては、４５°の固定衝撃角度ではなく、異なる角度を選択することが有利な場合がある。
【００８０】
クランクシャフトの最大負荷がかかる場所は、一般に、エンジンの動作及び／又は数学モデルによって決定される。新たに検討した手法では、この目的のため、単軸負荷からの最大負荷及び二軸重畳負荷からの最大負荷を考慮する。
【００８１】
衝撃角度を調整することにより、非常に正確な加工と衝撃硬化が保証される。渡り部の周囲及びクランクシャフトの周囲を環状に取り囲むように延びる渡り部に沿って、目的に応じて渡り部に最大荷重の衝撃力を導入することができ、当該衝撃力は最適な角度で導入されるため、達成可能な疲労強度効果は変わらないまま、衝撃力を減らすことができる可能性がある。したがって、この装置はさらに効率的である。
【００８２】
用途に応じて対象となる衝撃力を導入することにより、クランクシャフトの疲労強度を、必要であれば、従来技術において現在可能な疲労強度からさらに高めることができる。
【００８３】
本発明の一実施形態では、少なくとも１つの衝撃ツールの長さを好ましくは伸縮自在に調整可能にするようにしてもよい。
【００８４】
この目的のため、衝撃ツールは伸縮レールのように設計されてもよく、あるいは、伸縮手段を有していてもよい。少なくとも１つの衝撃ツールを伸縮チューブとして設計してもよい。本発明は、特定の種類の伸縮手段又は特定の種類の伸縮特性に限定されるものと理解されるべきではないことは自明である。
【００８５】
少なくとも１つの衝撃ツールの長さは、例えば、糸によって調整されてもよい。
【００８６】
少なくとも１つの衝撃ツールの長さは、手動で及び／又はアクチュエータ手段によって調整可能であるようにしてもよい。例えば、この目的のため、電気モータ、特にリニアドライブを設けてもよい。ただし、電気モータは、基本的には、任意の電気モータ、例えば、三相モータ、交流モータ、直流モータ、又はユニバーサルモータであってもよい。好ましくは、ステッピングモータを用いてもよい。
【００８７】
本発明の一実施形態では、少なくとも１つの衝撃ツール及び／又は少なくとも１つの衝撃ヘッド及び／又は偏向部及び／又は衝撃装置を交換し、偏向部の偏向点と少なくとも１つの衝撃ツールの衝撃ヘッドの前端との間の間隔を異なる値に調整するため、マガジン付きの切替装置を設けてもよい。
【００８８】
衝撃力が大きいため、衝撃装置の部品に高い機械的負荷が作用することが知られている。特に、少なくとも１つの衝撃ツールの長さを調整するためにフィリグリー部品を使用する場合、これにより、衝撃装置又はその部品の耐用年数が制限され得る。少なくとも１つの衝撃ツール及び／又は衝撃ヘッド及び／又は偏向部及び／又は衝撃装置にマガジン又は切替装置を設けた場合、少なくとも１つの衝撃ツールの伸縮運動を省略できる可能性があるため、衝撃装置又は装置全体を特に堅牢な設計のものとすることができる。
【００８９】
したがって、マガジン付きの切替装置によって、偏向部の偏向点と少なくとも１つの衝撃ツールの衝撃ヘッドとの間の間隔を長さ調整目的で交換される衝撃装置の部品を用いて有利に調整することができる。
【００９０】
異なる寸法の距離リング又はスペーサを使用することにより、偏向部の偏向点と少なくとも１つの衝撃ツールの衝撃ヘッドの前端との間の間隔を調整可能であるようにしてもよい。
【００９１】
本発明の一実施形態では、２つ以上の衝撃装置を設けてもよく、偏向装置の偏向点と第１の衝撃装置の衝撃ヘッドの前端との間の間隔は、偏向装置の偏向点と第２の衝撃装置の衝撃ヘッドの前端との間の間隔と同一ではない。
【００９２】
したがって、クランクシャフトの渡り部にそれぞれの衝撃力を導入することができる１つ以上の衝撃ツールを有する複数の衝撃装置をそれぞれ使用することにより、相互に独立して使用できる複数の衝撃ツールを提供することができ、衝撃ツールのコントローラ間で対応する同期が提供される。したがって、複数の衝撃装置を同時に使用できるため、クランクシャフトの衝撃硬化を特に迅速に行うこともできる。
【００９３】
本発明の一実施形態では、少なくとも１つの衝撃装置が２つの衝撃ツールを有するようにしてもよく、当該衝撃ツールは、各衝撃ツールが１つの渡り部に割り当てられるように偏向部に配置される。
【００９４】
共通の衝撃装置において２つの衝撃ツールを使用するようにしてもよく、当該衝撃ツールは、好ましくは、連接棒軸受ジャーナルの渡り部又は主軸受ジャーナルの渡り部に同時に衝撃力を導入する。
【００９５】
これは、接線部分及びアンダーカット部分の両方について、フランジ、ジャーナル、及び断面における他の幾何学的移行部への渡りに対して当てはまる。
【００９６】
衝撃ツールは、好ましくは、共通の衝撃ピストンにより操作されてもよい。
【００９７】
複数の衝撃ツール（及び／又は衝撃装置）を使用する場合、衝撃ツール用の（共同又は個別の）油圧、空気圧、機械的及び／又は電気的手段により衝撃ツールに対応する衝撃力を生成することができる共通の圧力パルス装置を設けてもよい。
【００９８】
複数の衝撃装置を使用する場合、偏向点と衝撃ヘッドとの間のそれぞれの間隔がすべての衝撃ツールにおいて同一であるようにしてもよく、少なくとも２つの衝撃ツールにおいて相互に異なるようにしてもよい。偏向部の偏向点と同じジャーナルに隣接する渡り部の硬化のための２つの衝撃ツールの衝撃ヘッドとの間のそれぞれの間隔が同一であることが好ましい。
【００９９】
本発明の一実施形態では、少なくとも１つの衝撃ツールの縦軸とクランクシャフトの縦軸に垂直な線との間の衝撃角度が５°〜８０°、好ましくは１０°〜７０°、より好ましくは２０°〜６０°、特に好ましくは３０°〜５５°、特に３５°〜５０°となるようにしてもよい。
【０１００】
特に、最大荷重が正確に分からない場合は、衝撃角度は４５°であることが好ましい。
【０１０１】
例えば、衝撃ヘッドの半径が渡り部の７５％〜９９％、好ましくは渡り部の８５％〜９８％、特に好ましくは渡り部の８５％〜９５％となるようにしてもよい。
【０１０２】
ただし、衝撃ヘッドの半径は、渡り部の７５％未満又は渡り部の９５％を超えていてもよい。衝撃ヘッドの半径は、渡り部に対応していてもよい。
【０１０３】
衝撃ヘッドは、特に、硬化目的でクランクシャフトに衝突する前部領域又は前端が実質的に球形であることが好ましい。ただし、衝撃ヘッドは、基本的には、任意の所望の形状を有していてもよく、例えば、楕円形、半球形、又は平坦形状であってもよい。
【０１０４】
本発明の一実施形態に係る方法では、渡り部の最大荷重のプロファイルに従って衝撃角度を選択するようにしてもよく、最大荷重のプロファイルは、それぞれの種類のクランクシャフトのシミュレーション及び／又は計算及び／又は一連のテストに基づいて決定される。
【０１０５】
渡り部の周囲に沿ったクランクシャフトの高負荷領域も予め特定しておくことが好ましい。そして、本発明に係る装置及び／又は本発明に係る方法により、目的に応じて対応する最大負荷領域に衝撃力を導入することができる。異なる種類のクランクシャフトやクランクシャフトの使用目的に対する個々の要求を考慮して、偏向部の偏向点と少なくとも１つの衝撃ツールの衝撃ヘッドの前端との間の間隔を調整することにより、特に高精度にクランクシャフトを衝撃硬化することができる。
【０１０６】
間隔を調整することにより、衝撃点だけでなく衝撃方向も定義することができる。このようにして、疲労強度、特に曲げ疲労強度及びねじり疲労強度がさらに最適化されたクランクシャフトを製造することができる。あるいは、現在利用可能な精度により、より小さな衝撃力を使用するだけで既存の疲労強度を得ることができる。
【０１０７】
本発明の一実施形態では、連接棒軸受ジャーナルとクランクウェブとの間のすべての渡り部及び／又は主軸受ジャーナルとクランクウェブとの間のすべての渡り部を同じ衝撃角度で衝撃硬化するようにしてもよい。
【０１０８】
接線部分及びアンダーカット部分の両方について、フランジ、ジャーナル、及び／又は断面における他の幾何学的移行部へのすべての渡り部を同じ衝撃角度で衝撃硬化することもできる。
【０１０９】
したがって、クランクシャフトのすべての渡り部が同じ衝撃角度で衝撃硬化されるようにしてもよく、この目的で選択された衝撃角度は、クランクシャフトの高負荷領域又は最大負荷点に関して最適化される。ただし、連接棒軸受ジャーナルのすべての渡り部が第１の衝撃角度で衝撃硬化され、主軸受ジャーナルのすべての渡り部が第２の衝撃角度で衝撃硬化されるようにしてもよく、第１及び第２の衝撃角度は、それぞれ、最大負荷の場所及び／又は最大荷重のプロファイルに対応して最適化される。
【０１１０】
本発明の代替実施形態では、連接棒軸受ジャーナルとクランクウェブとの間の少なくとも２つの渡り部が、異なる衝撃角度で衝撃硬化されるようにしてもよく、かつ／あるいは、主軸受ジャーナルとクランクウェブとの間の少なくとも２つの渡り部が異なる衝撃角度で衝撃硬化されるようにしてもよく、かつ／あるいは、連接棒軸受ジャーナルとクランクウェブとの間の少なくとも１つの渡り部が、主軸受ジャーナルとクランクウェブとの間の渡り部とは異なる衝撃角度で衝撃硬化されるようにしてもよい。
【０１１１】
したがって、衝撃角度を渡り部毎に又は一群の渡り部毎に個別に定義又は最適化することができる。
【０１１２】
例えば、１つのジャーナル位置で異なる衝撃角度を同時に用いることができる。
【０１１３】
本発明の一実施形態では、最終的に、連接棒軸受ジャーナル及び／又は主軸受ジャーナルの周囲を環状に取り囲むように延びる渡り部の衝撃硬化中に衝撃角度を変更するようにしてもよい。
【０１１４】
これが、接線部分及びアンダーカット部分の両方について、フランジ、ジャーナル、及び／又は断面における他の幾何学的移行部への渡りに対しても当てはまることは自明である。
【０１１５】
このようにして、疲労強度、すなわち、曲げ疲労強度及び／又はねじり疲労強度をさらに増加できることが分かった。
【０１１６】
例えば、連接棒軸受ジャーナルの下死点の領域又は主軸受ジャーナルの最大負荷点の領域に、渡り部の残りの領域とは異なる衝撃角度を与えてもよい。
【０１１７】
特に、渡り部の衝撃硬化中にアクチュエータ手段により衝撃角度を変更するようにしている場合、対応するアクチュエータ装置を作動させるために、好ましくはマイクロプロセッサを備える開ループ及び／又は閉ループ制御装置を設けてもよい。
【０１１８】
マイクロプロセッサの代わりに、開ループ及び／又は閉ループ制御装置を実装するための他の任意の装置、例えば、回路基板、プログラマブルロジックコントローラ（ＰＬＣ）、特定用途向け集積回路（ＡＳＩＣ）、又は、他のプログラマブル回路上のディスクリート電子部品、例えば、フィールドプログラマブルゲートアレイ（ＦＰＧＡ）、プログラマブルロジックアレンジメント（ＰＬＡ）、及び／又は市販のコンピュータのうちの１つ以上の装置を準備するようにしてもよい。
【０１１９】
本発明の別の特定の変形例では、衝撃硬化のために、最初に、駆動装置によってクランクシャフトを回転方向に沿って衝撃位置に回転させるようにしてもよく、衝突位置でクランクシャフトを拘束するために、拘束装置が設けられ、その後、少なくとも１つの衝撃ツールにより少なくとも１つの渡り部に衝撃力を導入する。
【０１２０】
このようにして、（寄生）剪断応力を完全ではなくても、実質的に防止する。
【０１２１】
クランクシャフトの回転運動を衝撃ツール自体ではなく駆動装置によって衝撃位置で停止させることにより、駆動装置の機械部品に対する要求、及び場合によっては駆動装置の耐用年数さえも改善される。さらに、拘束装置により、特に目的に応じて所望の領域に衝撃力を導入することができる。これが可能なのは、衝撃ツールによる衝撃時にクランクシャフトが望ましくない方法で回転方向に沿って回転したり又は逆回転したりできないからである。
【０１２２】
したがって、拘束装置を使用することにより、非常に正確な加工又は衝撃硬化を保証することができる。衝撃の間隔を目的に応じて特に大変小さな許容差で実現することができる。
【０１２３】
拘束装置は、好ましくは非積極的にロックする方法及び／又は積極的にロックする方法でクランクシャフトを拘束し、又はこの目的でドライブトレイン又は装置に係合する装置であってもよい。好ましくは、非積極的にロックする拘束手段が設けられ、拘束力は、衝撃力の導入中にクランクシャフトの回転が防止又は少なくとも抑制されるように選択される。
【０１２４】
拘束装置は、油圧式、空気圧式、及び／又は電動式の拘束装置であってもよい。
【０１２５】
拘束装置は、１つ以上のブレーキシュー、例えば、２つのブレーキシュー、３つのブレーキシュー、４つのブレーキシュー、又はそれ以上のブレーキシューを有することが好ましい。
【０１２６】
拘束装置は、ワーク駆動部に取り付けられていることが好ましい。例えば、拘束装置は、ジョーチャック、クランプフランジ、締結フランジ、又はワーク駆動装置の面板に配置してもよく、あるいは、モータ又はドライブに直接配置してもよい。
【０１２７】
したがって、閉ループ位置コントローラを用いて、クランクシャフトのポイント・ツー・ポイントの移動を実現することができる。例えば、クランクシャフトをある衝撃位置から次の衝撃位置まで段階的又は経時的に回転させるために、開ループ位置コントローラを使用してもよい。最も単純な場合、この目的のために、開ループＰＴＰコントローラ又はポイントコントローラを設けてもよい。
【０１２８】
駆動装置は、モータ、特に電気モータを備えていてもよい。電気モータは、基本的には、任意の電気モータ、例えば、三相モータ（特に、三相非同期機）、交流モータ、直流モータ、又はユニバーサルモータであってもよい。
【０１２９】
好ましくは、ステッピングモータを用いてもよい。
【０１３０】
二部駆動装置を設けることも可能であり、その場合、例えば、クランクシャフトの各端部にモータを設け、すなわち、クランクシャフトの同期駆動又は両側駆動とする。
【０１３１】
本発明の一実施形態では、クランクシャフトが衝撃位置で停止しているときにのみ拘束装置がクランクシャフトを拘束するように、駆動装置のコントローラと拘束装置のコントローラが相互に同期するようにしてもよい。
【０１３２】
対応する設計の場合、例えば、非積極的なロックに基づく設計の場合、拘束装置を、基本的に、クランクシャフトの回転運動を制動するために使用してもよい。ただし、衝撃位置でクランクシャフトを拘束するためだけに拘束装置を使用するのが特に好ましく、これにより、クランクシャフトの動力学、すなわち回転が行動装置によってのみ影響を受ける。すなわち、クランクシャフトの加速（又は制動）をもたらすトルクは、駆動装置によってのみ導入されるのが好ましい。例えば、駆動装置のコントローラ（例えば、閉ループ位置コントローラ）及び／又は拘束装置のコントローラを、特に単純な構造のものとすることができる。したがって、駆動装置及び拘束装置がクランクシャフトに作用する時点を、対応する時間管理により単に同期させるだけで十分である可能性がある。したがって、駆動装置及び拘束装置は、同時にクランクシャフトに作用しないことが好ましい。
【０１３３】
本発明の一実施形態では、さらに、少なくとも１つの衝撃ツールにより、クランクシャフトが衝撃位置で拘束されたときのみクランクシャフトの少なくとも１つの渡り部に衝撃力が導入されるように、拘束装置のコントローラ及び少なくとも１つの衝撃ツールのコントローラを相互に同期するようにしてもよい。
【０１３４】
このようにして、望ましくない剪断応力を完全に防止することができる。
【０１３５】
ただし、クランクシャフトが衝撃位置でまだ完全には停止していないときに、衝撃力の導入を開始することも基本的に可能である。
【０１３６】
個々の部品がクランクシャフトに作用する時点又は時間範囲が少なくとも部分的に重なるように、駆動装置、拘束装置、及び／又は少なくとも１つの衝撃ツールのコントローラを同期させてもよい。このようにして、方法全体のタイミングを高速化することができる。
【０１３７】
本発明の一実施形態では、駆動装置をダイレクトドライブとして設計するようにしてもよい。
【０１３８】
クラッチのない駆動装置を設けるのが好ましい。
【０１３９】
本例では、ダイレクトドライブは、モータ、好ましくは電気モータ、及び駆動シャフトが直接又は伝達比なしで接続又は結合される場合の駆動を意味すると理解されるべきである。特に、トランスミッションが省略される。
【０１４０】
本発明の変形例を用いる場合、好ましくは、クラッチ、特にスリッピングクラッチを省略することも可能である。特に部品保護のために使用されるスリッピングクラッチは、例えば、EP 1 716 260 B1に係る方法において、衝撃ヘッドによる衝撃の結果、クランクシャフトが強制停止したときに駆動装置又は装置が損傷しないようにするために設けられる。本明細書において説明する方法の場合、このような損傷は除外され、これにより、スリッピングクラッチを不要とすることができる。
【０１４１】
このようにして、駆動装置の構造が非常に単純になり、したがって、経済的である。
【０１４２】
本発明の一実施形態では、特に、拘束装置及び駆動装置を相互に別々に配置するようにしてもよい。
【０１４３】
例えば、拘束装置を、閉ループ位置制御のために必要とされる可能性がある駆動装置内の制動装置として設計しないのが好ましい。通常、電気モータを備え、かつ、閉ループ位置コントローラによりポイント・ツー・ポイント動作を実行する駆動装置では、電気モータの閉ループ電圧又は電流制御によってトルクが生成されるため、いずれの場合も制動装置は設けられない。ただし、駆動装置が従来の制動装置を含む場合、これに加えて拘束装置が設けられ、かつ、独立したアセンブリとして設計されるようにしてもよい可能性がある。
【０１４４】
拘束装置は、基本的に、駆動装置内に個別に配置してもよい。この場合も、これら拘束装置が空間的に分離し、かつ／あるいは、機能的に独立した、相互に独立した部品であることが好ましい。
【０１４５】
好ましくない代替実施形態では、駆動装置の制動装置を使用してもよい。この目的のため、衝撃力の導入中にクランクシャフトが回転しないように、上記制動装置を適切に設計する必要がある。
【０１４６】
本発明の一実施形態では、さらに、回転可能な締結装置、好ましくは、締結装置の締結フランジ又はクランプフランジを拘束する拘束装置によって、クランクシャフトを間接的に拘束するようにしてもよい。当該フランジ又は締結装置にクランクシャフトが固定される。
【０１４７】
締結フランジの代わりに、あるいは、締結フランジに加えて、締結装置が面板又は他の何らかのクランプ手段を備えていてもよい。
【０１４８】
特に、複数のクランプジョー、例えば、２、３、４、５、６、又はそれ以上のクランプジョーを有する面板を設けてもよい。このようにして、直径の異なる複数種類のクランクシャフトを固定することができる。
【０１４９】
クランクシャフトは、その処理のために、締結装置によって、通常、駆動シャフトに回転可能に固定されている。
【０１５０】
その衝撃位置でクランクシャフトを拘束するために、拘束装置は、基本的には、駆動装置又はクランクシャフトに機械的に結合した任意の所望の位置で係合してもよい。例えば、拘束装置は、クランクシャフト自体に係合してもよく、駆動装置内で、例えば、駆動シャフトに係合してもよく、駆動装置の外側で、例えば、駆動シャフトに係合してもよく、あるいは、特に好ましくは、締結装置、特に締結フランジ、面板、又は何らかのクランプ手段に係合してもよい。
【０１５１】
一実施形態では、特に、拘束装置が外周の領域において、締結装置、締結フランジ、面板、又はクランプフランジに係合するようにしてもよい。
【０１５２】
拘束装置が上記板又はシャフトの外周の領域に係合することにより、付与しなければならない又は必要とされる拘束力を低減させることができる。駆動シャフトの回転軸に対する拘束装置の半径方向の位置に応じて、回転軸に対する半径方向の間隔が大きいほど、ねじりモーメントをブロックするのに必要な力が小さくなる。ここで、クランクシャフトがすでに衝撃位置で停止しているときにのみ拘束装置が係合すると特に有利である。
【０１５３】
拘束装置は、基本的に、複数の場所で係合してもよい。例えば、拘束装置が、クランクシャフトの両端の領域におけるそれぞれの場合について適切な場所、例えば、その場所に位置する締結フランジに係合するようにしてもよい。
【０１５４】
クランクシャフトを駆動装置から離れた端部で回転可能に支持又は固定するために、テールストックのような支持体を設けてもよい。
【０１５５】
そして、拘束装置は、例えば、駆動装置又は駆動シャフトの領域及び／又は支持体の領域に係合してもよい。この場合にも、上述のように拘束装置が締結装置、好ましくは締結フランジに係合するのが好ましい。
【０１５６】
本発明の一実施形態では、クランクシャフトの回転方向と反対方向及び／又は回転方向にクランクシャフトが回転することを防止するように拘束装置を設計するようにしてもよい。
【０１５７】
特に、ジャーナルの周囲を環状に取り囲むように延びるそれぞれの渡り部に沿った衝撃ヘッドの衝撃痕が重なり合うことを意図している場合、すなわち、衝撃位置の間隔が狭い場合、非常に正確に、かつ、目的に応じて衝撃力が導入されるようにしてもよい。これは、衝撃ヘッドが以前の衝撃の衝撃痕に侵入した場合、衝撃力の導入中にクランクシャフトが１つの衝撃位置から以前の衝撃位置に少なくとも部分的に回転するので、拘束装置を使用しないと困難である。衝撃痕を重ね合わせること、又は衝撃位置を密接に配置し、正確に定義することにより、疲労強度又は曲げ疲労強度及びねじり疲労強度を特に効果的に高められることが分かっているので、本発明は、特に衝撃痕が重なり合うか、あるいは、交差するように、密接及び／又は正確な衝撃間隔の導入と組み合わせると特に有利である。
【０１５８】
本発明の一実施形態では、少なくとも１つの衝撃ツールは、周期的に、好ましくは、０．５Ｈｚ〜３０Ｈｚのタイミング、すなわち、衝撃周波数、特に好ましくは０．５Ｈｚ〜５Ｈｚのタイミング、特に大変好ましくは０．５Ｈｚ〜３Ｈｚのタイミングで衝撃運動を実行するか、あるいは、衝撃力を導入することができる。
【０１５９】
他のタイミング、例えば、０．１Ｈｚから５０Ｈｚまでの衝撃周波数を用いてもよいことは自明であるが、上記の値は特に大変適している。
【０１６０】
衝撃力を生成するために衝撃ピストンが印加できる衝撃圧力は、動作モードに応じて、１０〜３００バール、好ましくは３０〜１８０バール、特に好ましくは５０〜１３０バールである。
【０１６１】
クランクシャフトセグメントの領域又は機械加工される渡り部の温度は、６５°Ｃ以下であることが好ましく、１２°Ｃ〜２５°Ｃの値が好ましい。
【０１６２】
経験上、伝播することができないマイクロクラックは、エンジン又は試験台での動的荷重の後、クランクシャフトの表面に形成されることが分かっている。これらマイクロクラックは、疲労強度特性には影響しないが、外観を損なわせる可能性がある。
【０１６３】
好ましくは１５ｍｍ又はそれ以上の深さまで内部圧縮応力を導入することができるので、これは、クランクシャフトの曲げ疲労強度及びねじり疲労強度、すなわち、疲労強度に悪影響を与えることなく、クランクシャフトの表面領域を数ミリメートル、例えば、０．１〜３ｍｍ、好ましくは０．５ｍｍ除去できることを意味する。
【０１６４】
試験により、このような測定により疲労強度がわずかに、例えば最大５％増加することが示されている。
【０１６５】
表面の除去は、様々な方法、例えば、研削、旋削、フライス加工、ロータリフライス加工、剥離、又は研磨により実行してもよい。
【０１６６】
渡り部の衝撃硬化は、クランクシャフト又はジャーナルの周囲を数回取り囲むように実行してもよい。したがって、既に本発明に従って衝撃硬化されている領域において、本発明による衝撃硬化を実行するようにしてもよい。ここで、当該領域（すなわち、高負荷領域、低負荷領域、及び／又は中間領域）は、部分的に重なり合うか、あるいは、３６０°を超える角度セグメントにわたって定義されてもよい。当該領域は、例えば、５４０°、７２０°、９００°、１０８０°以上の角度セグメントにわたって、定義されてもよい。
【０１６７】
低負荷領域（又は、低負荷領域において衝撃硬化を実行しない場合、中間領域）において衝撃硬化が開始されるようにしてもよく、また、上記領域から高負荷領域の方向に向かって衝撃力が増加するようにしてもよい。
【０１６８】
例えば、環状に取り囲む渡り部の周囲に３６０°にわたって第１の衝撃力で衝撃硬化を最初に実行し、続いて、第２の衝撃力で中間領域及び高負荷領域に衝撃硬化を実行し、３周目において第３の衝撃力で高負荷領域に衝撃硬化を実行するようにしてもよい。第２の衝撃力は、第１の衝撃力と同一であってもよく、第３の衝撃力は、第１及び／又は第２の衝撃力と同一であってもよい。したがって、衝撃力は、基本的に、環状に取り囲む渡り部に複数周にわたって衝撃力が導入されることにより、例えば、中間領域から高負荷領域の方向に向かって増加してもよい。したがって、複数の個々の衝撃力の合計として衝撃力を導入してもよい。
【０１６９】
本発明は、クランクシャフトの渡り部、特にクランクシャフトの連接棒軸受ジャーナルとクランクウェブとの間の渡り部及び／又はクランクシャフトの主軸受ジャーナルとクランクウェブとの間の渡り部を衝撃硬化するための上記方法を実施するための装置にも関する。
【０１７０】
この装置は、接線部分及びアンダーカット部分の両方について、フランジ、ジャーナル、及び断面における他の幾何学的移行部への渡り部の衝撃硬化にも適している。
【０１７１】
本発明に係る方法に関連して既に説明した特徴は、本発明に係る装置についても有利に実現可能であり、その逆もまた同様であることは自明である。さらに、本発明に係る方法に関連して既に説明した利点は、本発明に係る装置に関連するものとして理解することができ、その逆もまた同様である。
【０１７２】
共通の衝撃装置において２つの衝撃ツールを使用するようにしてもよい。これら衝撃ツールは、連接棒軸受ジャーナル又は主軸受ジャーナルの両方の渡り部に同時に衝撃力を導入する。衝撃ツールを偏向部により結合してもよく、したがって、好ましくは、共通の衝撃ピストンによって衝撃ツールを操作してもよい。
【０１７３】
（例えば、１つ以上の衝撃ツールをそれぞれ有する複数の衝撃装置を使用することにより）相互に独立して使用できる複数の衝撃ツールを設けることもできる。これら複数の衝撃ツールによりそれぞれの衝撃力をクランクシャフトの任意の渡り部に導入することができ、駆動装置のコントローラ相互間及び／又は拘束装置のコントローラ相互間及び／又は別の衝撃ツール相互間又はそれらの間の対応する同期を提供してもよい。
【０１７４】
使用する衝撃ツールを１つだけにするようにしてもよい。
【０１７５】
本発明の一実施形態では、駆動装置及び拘束装置が相互に別々に形成され、配置されるようにしてもよい。
【０１７６】
本発明の一実施形態では、さらに、クランクシャフトを固定するために、回転可能な締結装置を設けることができ、当該クランクシャフト用の締結装置を拘束するように拘束装置を配置及び設計する。
【０１７７】
本発明の一実施形態では、さらに、締結装置が、拘束装置、好ましくは外周の領域で締結フランジに係合する拘束装置によって拘束可能な締結フランジを有するようにしてもよい。
【０１７８】
本発明の一実施形態では、締結装置を回転させるように、好ましくは締結装置の入力シャフトの周りに締結装置を回転させるように駆動装置を配置及び設計するようにしてもよい。締結装置の入力シャフトは、駆動装置、例えば電気モータの出力シャフトであってもよい。
【０１７９】
締結装置は、駆動装置の出力シャフトとクランクシャフトとの間に配置されるのが好ましい。
【０１８０】
本発明の一実施形態では、駆動装置の回転運動及び／又は拘束装置の制御及び／又は少なくとも１つの衝撃ツールの制御を実現及び／又は同期させるために、開ループ及び／又は閉ループ制御装置、好ましくはマイクロプロセッサを備える開ループ及び／又は閉ループ制御装置を配置してもよい。
【０１８１】
拘束装置、駆動装置、及び／又は少なくとも１つの衝撃ツールのコントローラを備える開ループ及び／又は閉ループ制御装置を設けてもよい。
【０１８２】
マイクロプロセッサの代わりに、開ループ及び／又は閉ループ制御装置を実装するための他の任意の装置、例えば、回路基板、プログラマブルロジックコントローラ（ＰＬＣ）、特定用途向け集積回路（ＡＳＩＣ）、又は、他のプログラマブル回路上のディスクリート電子部品、例えば、フィールドプログラマブルゲートアレイ（ＦＰＧＡ）、プログラマブルロジックアレンジメント（ＰＬＡ）、及び／又は市販のコンピュータのうちの１つ以上の装置を準備するようにしてもよい。
【０１８３】
本発明はまた、本発明に係る方法を実施するためのプログラムコード手段を有するコンピュータプログラムに関し、開ループ及び／又は閉ループ制御装置、特にマイクロプロセッサで当該プログラムが実行されることにより、本発明に係る方法が実施される。
【０１８４】
本発明に係る装置のいくつかの構成要素は、基本的に、その構造に関して、EP 1 716 260 B1による装置に対応し、そのため、EP 1 716 260 B1に開示された内容は、その全体が、参照により本開示に援用される。
【０１８５】
本発明はまた、上記方法に従って製造されたクランクシャフトに関する。
【０１８６】
本発明に係るクランクシャフトは、特に、その硬化のために、衝撃力が渡り部の少なくとも１つの異なる領域において異なる強度で、それぞれ環状に取り囲む渡り部に沿って導入される点で従来のクランクシャフトとは異なる。さらに、本発明に係るクランクシャフトは、その硬化のために２以上の衝撃角度が用いられ、これにより、全体として、クランクシャフトの渡り部の特徴的な効果を生じる可能性があるという点で従来のクランクシャフトと異なる。
【図面の簡単な説明】
【０１８７】
【図１】図１は、本発明に係る第１の実施形態における方法を実施するための装置全体を概略的に示す図である。
【図２】図２は、本発明に係る第２の実施形態における方法を実施するための装置の一部を概略的に示す斜視図である
【図３】図３は、図１の詳細「Ａ」による拡大図における２つの衝撃ツールを有する衝撃装置を概略的に示す図である。
【図４】図４は、衝撃ツールを１つのみ有する衝撃装置を概略的に示す図である。
【図５】図５は、クランクシャフトの例示的な詳細を概略的に示す図である。
【図６】図６は、図５に示すクランクシャフトの断面線ＶＩに沿った概略的な断面図である。
【図７】図７は、例示的なジャーナルの高負荷領域、低負荷領域、及び介在する中間領域への環状に取り囲む渡り部の例示的な分割を概略的に示す図である。
【図８】図８は、本発明の第１の実施形態におけるジャーナルの周囲を環状に取り囲むように延びる渡り部に沿った衝撃力の例示的な分布を概略的に示す図である。
【図９】図９は、本発明の第２の実施形態におけるジャーナルの周囲を環状に取り囲むように延びる渡り部に沿った衝撃力の例示的な分布を概略的に示す図である。
【図１０】図１０は、本発明の第３の実施形態におけるジャーナルの周囲を環状に取り囲むように延びる渡り部に沿った衝撃力の例示的な分布を概略的に示す図である。
【図１１】図１１は、本発明の第４の実施形態におけるジャーナルの周囲を環状に取り囲むように延びる渡り部に沿った衝撃力の例示的な分布を概略的に示す図である。
【図１２】図１２は、２つの伸縮衝撃ツールを有する衝撃装置を概略的に示す図である。
【図１３】図１３は、渡り部と、衝撃ヘッドを有する衝撃ツールとを概略的に示す拡大図であり、衝撃ツールは第１の衝撃角度で位置合わせされている。
【図１４】図１４は、渡り部と、衝撃ヘッドを有する衝撃ツールとを概略的に示す拡大図であり、衝撃ツールは第２の衝撃角度で位置合わせされている。
【図１５】図１５は、環状に取り囲む渡り部に沿って衝撃ヘッドの衝撃痕が重なり合う場合の衝撃硬化した渡り部を概略的に示す図である。
【図１６】図１６は、衝撃硬化に第１の衝撃角度を用いた場合の衝撃硬化した渡り部を概略的に示す図である。
【図１７】図１７は、衝撃硬化に第２の衝撃角度を用いた場合の衝撃硬化した渡り部を概略的に示す図である。
【図１８】図１８は、環状に取り囲む渡り部に沿って衝撃硬化中に衝撃角度を変更した場合の衝撃硬化した渡り部を概略的に示す図である。
【図１９】図１９は、拘束装置の使用中における概略的なフロー図である。
【発明を実施するための形態】
【０１８８】
以下、本発明の例示的な実施形態について、図面に基づいて詳細に説明する。
【０１８９】
各図は、好ましい例示的な実施形態を示しており、本発明の個々の特徴が相互に組み合わせて示されている。例示的な実施形態の特徴はまた、同一の例示的な実施形態の他の特徴と別個に実現可能であり、したがって、別の有意義な組み合わせ及び部分的組み合わせを作るために、当業者によって他の例示的な実施形態の特徴と容易に組み合わせることができる。
【０１９０】
各図において、機能的に同一の要素は、同一の参照符号で示されている。
【０１９１】
図１の全体図に示す装置は、基本的に、その構造に関して、１つ以上の衝撃装置１を有するDE 34 38 742 C2及びEP 1 716 260 B1のような装置に対応する。そのため、以下、重要な部分及び従来技術との相違点のみを詳細に説明する。
【０１９２】
上記装置は、機械ベッド２及び駆動装置３を有する。駆動装置３は、回転方向に沿ってクランクシャフト４を衝撃位置に移動又は回転させるために使用される。
【０１９３】
クランクシャフト４は、連接棒軸受ジャーナル５及び主軸受ジャーナル６を複数有し、それら各々の間にクランクウェブ７が複数配置される。
【０１９４】
渡り部８（図３〜５及び１３〜１８参照）は、連接棒軸受ジャーナル５とクランクウェブ７との間、及び主軸受ジャーナル６とクランクウェブ７との間、すなわち、一般的に、クランクシャフト４の断面における渡り部分に形成される。クランクシャフト４の駆動装置３に面する側には、クランプディスク又は締結フランジ１０を有する締結装置９が設けられる。クランクシャフト４の駆動装置３から離れた側には、支持体１１、好ましくはテールストックのような支持体１１が設けられ、当該支持体１１は、クランクシャフト４を回転可能に収容又は回転可能に固定するための別の締結装置９を有する。任意選択的に又は支持体１１に加えて、回転対象位置に配置された背もたれを設けてもよい。
【０１９５】
さらに、締結装置９の外周の領域に係合する拘束装置１２を設けてもよい。これを図１に破線で示す。基本的に、駆動装置３の出力シャフト、又は本例において当該出力シャフトと同一である締結装置９の入力シャフト１３に拘束力を印加するため、したがってクランクシャフト４に拘束力を印加するために、装置内の任意の所望の位置に拘束装置１２を配置してもよい。拘束装置１２は、装置の複数の位置に係合してもよい。例として、支持体１１の領域で締結装置９と係合する拘束装置１２の第２の部分も同様に破線で示す。
【０１９６】
拘束装置１２は、例えば、単に概略的に示されたブレーキシュー装置１４を使用した非積極的な拘束作用に基づいている。
【０１９７】
駆動装置３は、クランクシャフト４を回転軸Ｃに沿って回転運動させることができる。ここで、クランクシャフト４の主回転軸ＣＫＷが、図１及び図２に示すように、駆動装置３の回転軸Ｃから偏心して配置されるようにしてもよい。この目的のため、締結装置９の領域に位置合わせ手段１７（図２参照）を設けられることが好ましい。ここで、位置合わせ手段１７が、硬化されるジャーナル５又は６の中心軸を変位させ、ジャーナル５又は６の中心軸が回転軸Ｃ上にあるようにしてもよい。
【０１９８】
駆動装置３に対して、ダイレクトドライブ、好ましくはクラッチなしのダイレクトドライブを設けてもよい。したがって、駆動装置３のモータ、好ましくは電気モータを伝達比なしで、すなわちトランスミッションなしで締結装置９又はクランクシャフト４に結合することができる。
【０１９９】
以下に例として詳細に説明する衝撃装置１は、連接棒軸受ジャーナル５及び主軸受ジャーナル６の位置とクランクシャフト４の長さとに適合させるための変位及び調整装置１５の各々において調整可能に保持される。
【０２００】
図１の二重矢印で示すように、支持体１１を変位可能に設計してもよい。
【０２０１】
図１には２つの衝撃装置１が示されているが、基本的には、任意の数、例えば、１つのみの衝撃装置１を設けてもよい。
【０２０２】
主軸受ジャーナル６の渡り部８の衝撃硬化のために少なくとも１つの衝撃装置を設計及び構成し、１つの衝撃装置１を連接棒軸受ジャーナルの渡り部８の衝撃硬化のために設計及び構成するようにしてもよい。
【０２０３】
図２は、本発明に係る方法を実施するための別の装置の詳細を斜視図で示しているが、衝撃装置が含まれていない。ここで、図２に示す装置は、図１に示す装置と実質的に同一であるため、以下、重要な相違点のみ詳細に言及する。
【０２０４】
駆動装置３が再び設けられる。さらに、締結フランジ１０と、それに締結された、クランクシャフト４を固定するためのクランプジョーを有する面板とを有する締結装置９が設けられる。締結装置９のクランプジョーを有する面板は、締結フランジ１０上の位置合わせ手段１７上で調整可能に配置され、これにより、クランクシャフト４の縦軸ＣＫＷを駆動シャフト又は入力シャフト１３の回転軸Ｃに対して変位させることができる。
【０２０５】
図２に示すクランクシャフト４は、図１に示す実施形態から逸脱する構成を有するが、基本的には、同様に、連接棒軸受ジャーナル５、主軸受ジャーナル６、及びクランクウェブ７を備える。
【０２０６】
図２（図１と同様）において、省略してもよいが、駆動装置３から離れたクランクシャフト４の端部に別の締結装置９を設けてもよい。
【０２０７】
図１に示す衝撃装置１は、図３に示す例により詳細に示されている。本発明は、基本的には、任意の衝撃装置１で実施することができる。しかしながら、以下に説明する衝撃装置１が特に適している。この衝撃装置１は、本体１８を有する。本体１８は、機械加工されるクランクシャフトセグメントの部分に対応して角柱状のアバットメントを有していてもよく、支持面内に２つの衝撃ツール１６をガイドし、偏向部２０の周りの支持角又は衝撃角度α（図参照）に関して、対応する自由度をそれら衝撃ツール１６に付与するガイド１９を有することが好ましく、クランクシャフト４の寸法条件への適合に有利である。いずれの場合も、衝撃ヘッドとして１つのボールを２つの衝撃ツール１６の前端に配置する。中間部２２は、衝撃ピストン２３と偏向部２０とを接続し、衝撃エネルギーを衝撃ツール１６に伝達する。中間部２２は省略してもよい。
【０２０８】
衝撃の有効性を高めるために、本体１８から離れたジャーナル５又は６側にクランプナット２７を有する調整可能なクランプボルト２６により、スプリング２５を介して、クランププリズム２４を締結してもよい。ここで、他の構造的な解決法も可能である。
【０２０９】
説明の一部が「衝撃ヘッド／衝撃ツール」又は「衝撃装置」又は「複数の衝撃ヘッド／衝撃ツール／衝撃装置」を指す場合、基本的には、任意の数、例えば、２、３、４、５、６、７、８、９、１０、又はそれ以上の衝撃ヘッド／衝撃ツール／衝撃装置を意味することを理解されたい。複数又は単数への言及は、読みやすくするためだけにされているものであり、限定するものではない。
【０２１０】
機械加工されるクランクシャフト４の長さにわたって複数の衝撃装置１を配置することにより、必要に応じて、クランクシャフト４のすべての中央領域と、場合によっては、偏心した領域とを同時に機械加工することができる。
【０２１１】
衝撃ピストン２３は、偏向部２０を介して衝撃ツール１６に衝撃を伝達し、これにより、衝撃ツール１６の衝撃ヘッド２１は、渡り部８に衝撃角度αで衝撃力ＦＳを導入（伝達）する。ここで、偏向部２０の偏向点ＵＰとそれぞれの衝撃ツール１６の衝撃ヘッド２１の前端との間の間隔ｄ（図１２参照）が調整可能であってもよい。
【０２１２】
本明細書における「ＦＳ」という表現及びこれに類似する表現は、単に当業者にとって適切と考えられる任意の衝撃力についてのプレースホルダ／変数として理解されるべきである。ここで、「衝撃力ＦＳ」と記載されている場合、それぞれの場合について、異なる衝撃力そうでなければ同一の衝撃力を指してもよい。
【０２１３】
図４は、１つのみの衝撃ツール１６を備える衝撃装置１を示す。例示的な実施形態では、衝撃装置１は、特に、衝撃装置１の縦軸に対して同軸に配置された衝撃ツール１６が、機械加工されるクランクシャフトセグメントの領域、本例では、機械加工される渡り部８の領域に対して垂直に衝撃を与えるように、クランクシャフト４に対して傾斜していることが好ましい。この場合、それぞれ、１つのクランクシャフトセグメントのみを機械加工することが可能であるが、衝撃装置１による構造設計と力の伝達が良好かつ簡単である。このツールにより、定常位でボア端部をより硬化させることができる。
【０２１４】
本実施形態は、クランクシャフト４の端部領域及びオイルボア端部等の非対称のクランクシャフトセグメントでの使用に特に有利であることが証明されている。
【０２１５】
図５は、連接棒軸受ジャーナル５とクランクウェブ７との間、及び主軸受ジャーナル６とクランクウェブ７との間にそれぞれ渡り部８を有するクランクシャフト４の例示的な詳細を示す。
【０２１６】
本発明によれば、衝撃力ＦＳを渡り部８の少なくとも１つに導入するために、（連接棒軸受ジャーナル５及び／又は主軸受ジャーナル６の周囲を）環状に取り囲むように延びるそれぞれの渡り部８に沿って高負荷領域ＢＭＡＸ、低負荷領域ＢＭＩＮ、及び介在する中間領域ＢＺＷが定義され、中間領域ＢＺＷに導入される衝撃力ＦＳが高負荷領域ＢＭＡＸの方向に向かって増加するように衝撃硬化がなされる。
【０２１７】
ここで、クランクシャフト４の所望の疲労強度及び／又はクランクシャフト４の一部の所望の疲労強度に基づいて、衝撃硬化中に高負荷領域ＢＭＡＸに導入される衝撃力ＦＳを決定するようにしてもよい。
【０２１８】
ジャーナル５及び６にそれぞれ隣接する渡り部８は、エンジン動作又はクランクシャフト４の目的に応じて、それぞれ異なる位置に配置された高負荷領域ＢＭＡＸを有することができる。クランクシャフト４の例示的な負荷は、図５において矢印で示されている。連接棒軸受ジャーナル５は、ピストン（不図示）を介して矢印に沿ってエンジンに接続されている。連接棒軸受ジャーナル５の矢印が示す側は、この場合、いわゆる圧力側である。連接棒軸受ジャーナル５のいわゆる下死点ＢＤＣは、圧力側とは反対側、具体的には張力側に位置する。経験上、それぞれの渡り部８の曲げ荷重は、連接棒軸受ジャーナル５の下死点ＢＤＣで最大になる。下死点ＢＤＣと隣接するように、好ましくは対称的に取り囲むように高負荷領域ＢＭＡＸを定義できることが有利である。
【０２１９】
図５の示すクランクシャフト４の場合、さらに、連接棒軸受ジャーナル５に隣接する主軸受ジャーナル６の最大負荷点を連接棒軸受ジャーナル５に隣接する圧力側に対応する領域とすることができる。簡単にするために、主軸受ジャーナル６の上記領域を以降「上死点」ＴＤＣと呼ぶ。
【０２２０】
死点ＢＤＣ及びＴＤＣの位置を分かりやすく説明するために、図５に示す断面線「ＶＩ」に沿ったクランクシャフト４の断面を図６に示す。
【０２２１】
ここで、主軸受ジャーナル６の渡り部８の最大負荷点又は上死点ＴＤＣは、クランクシャフト４の断面において、主軸受ジャーナル６の渡り部８と、主軸受ジャーナル６の中心点ＭＨ及び主軸受ジャーナル６の渡り部８に隣接する連接棒軸受ジャーナル５の中心点ＭＰの接続線ｘとの交点にあることが分かる。
【０２２２】
図７は、ジャーナル５又は６の周囲に沿った領域ＢＭＡＸ、ＢＭＩＮ、及びＢＺＷの考えられる分布を示すために、例示的なジャーナル５又は６の断面を示す。
【０２２３】
本例では、ジャーナル５又は６の最大負荷点、すなわち、連接棒軸受ジャーナル５の下死点ＢＤＣ又は主軸受ジャーナル６の上死点ＴＤＣが１８０°で示されている。この点から、クランクシャフト４の周囲を環状に取り囲むように延びる渡り部８に沿って、高負荷領域ＢＭＡＸが定義される。高負荷領域ＢＭＡＸは、この点から少なくとも±２０°、好ましくは少なくとも±３０°、より好ましくは少なくとも±４０°、特に好ましくは少なくとも±５０°、特に大変好ましくは少なくとも±６０°、例えば、少なくとも±７０°、少なくとも±８０°、又は少なくとも±９０°の位置にあってもよく、対称的に位置することが好ましい。
【０２２４】
高負荷領域ＢＭＡＸに隣接して２つの中間領域ＢＺＷが定義されており、当該２つの中間領域ＢＺＷが高負荷領域ＢＭＡＸを低負荷領域ＢＭＩＮから分離している。中間領域ＢＺＷは、環状に取り囲む渡り部８に沿った任意の角度セグメントを包含してもよい。同じことが低負荷領域ＢＭＩＮにも当てはまる。それぞれの角度範囲は、計算、シミュレーション、及び／又は一連のテストによって、場合によっては、（エンジンの）リアルタイム動作中の測定から決定してもよい。
【０２２５】
中間領域ＢＺＷに導入される衝撃力ＦＳは、高負荷領域ＢＭＡＸの方向に（好ましくは絶え間なく）増加するのが好ましい。衝撃力ＦＳが増加するという記載は、連続する衝撃間で衝撃力ＦＳが漸次増加することが好ましいことを意味する。
【０２２６】
図８〜１１は、ジャーナル５又は６、例えば、図７に示すジャーナル５又は６の周囲に沿った衝撃力ＦＳの４つの例示的なプロファイルを示す。
【０２２７】
ここで、図８、１０、及び１１において、衝撃硬化中に高負荷領域ＢＭＡＸにそれぞれ導入される衝撃力ＦＳは、一定である。
【０２２８】
例として示すすべての曲線において、衝撃硬化中に高負荷領域ＢＭＡＸに導入される衝撃力ＦＳは、中間領域ＢＺＷにそれぞれ導入される最大衝撃力ＦＳ以上である（それぞれの場合において、低負荷領域ＢＭＩＮに導入される衝撃力ＦＳより大きいことは自明である）。
【０２２９】
したがって、最大衝撃力ＦＭＡＸは、渡り部８の高負荷領域ＢＭＡＸに導入される。
【０２３０】
さらに、図８及び１１は、それぞれ、衝撃硬化中に低負荷領域ＢＭＩＮに衝撃力ＦＳが導入されない例示的な力の分布を示す。対照的に、図９及び１０では、それぞれ、低負荷領域ＢＭＩＮにおいて、衝撃硬化中に、中間領域ＢＺＷに導入される最小衝撃力ＦＳより小さい衝撃力ＦＳが導入される。ここで、図１０の場合、最小衝撃力Ｆｍｉｎが与えられ、低負荷領域ＢＭＩＮにおいて一定に保たれる。対照的に、図９では、中間領域ＢＺＷから最大負荷点、すなわち、下死点ＢＤＣ又は上死点ＴＤＣの反対側の位置に向かって、衝撃力ＦＳが着実に直線的に最小値、本例では０まで減少する。
【０２３１】
図８では、例えば、本例では衝撃硬化が行われない低負荷領域ＢＭＩＮから高負荷領域ＢＭＡＸに向かって、中間領域ＢＺＷに導入される衝撃力ＦＳが均一及び／又は直線的に増加する。
【０２３２】
対照的に、図９では、衝撃力ＦＳのプロファイルは、クランクシャフト４の円周に沿って、最大負荷点、すなわち、下死点ＢＤＣ又は上死点ＴＤＣと反対側の点から最大負荷点、すなわち、下死点ＢＤＣ又は上死点ＴＤＣの方向にそれぞれ増加する連続的なランプに従う。ここで、領域ＢＭＩＮ、ＢＺＷ、及びＢＭＡＸのそれぞれにおいて、衝撃力ＦＳのプロファイルは、それぞれ関連するランプ関数に従い、合わせて図示のランプを形成する。
【０２３３】
図１０は、図８に示す衝撃力ＦＳのプロファイルと基本的に同様の衝撃力ＦＳのプロファイルを示す。ただし、中間領域ＢＺＷでは、図８に示す衝撃力ＦＳの線形又はランプ状の変化とは対照的に、滑らかな曲線プロファイルが示されている。
【０２３４】
最後に、図１１は、中間領域ＢＺＷにおいて衝撃力ＦＳが段階的に変化する図を示す。
【０２３５】
最後に、特に（ただし、限定的ではない）図８〜１１に示すプロファイルの変形例及び組み合わせを提供してもよい。本発明は、衝撃力ＦＳの特定のプロファイルに限定されない。環状に取り囲む渡り部８の周囲に沿った衝撃力ＦＳのプロファイルを、エンジン動作又はクランクシャフト４の目的に関して選択してもよい。
【０２３６】
少なくとも１つの衝撃ツール１６の衝撃ヘッド２１が衝撃力ＦＳを渡り部８に衝撃角度αで導入するようにしてもよく、衝撃力ＦＳは調整可能である。特に、偏向部２０の偏向点ＵＰとそれぞれの衝撃ツール１６の衝撃ヘッド２１の前端との間の間隔ｄが調整可能であることにより、衝撃角度αを変化させることができる。
【０２３７】
間隔ｄの調整のための技術的な解決法を図３に破線で概略的に示す。例えば、少なくとも１つの衝撃ツール１６及び／又は衝撃ヘッド２１及び／又は偏向部２０及び／又は少なくとも１つの衝撃装置１を交換し、偏向部２０の偏向点ＵＰと少なくとも１つの衝撃ツール１６の衝撃ヘッド２１の前端との間の間隔ｄを異なる値に調整するため、マガジン付きの切替装置３０を設けてもよい。衝撃ツール１６を交換するための切替装置３０を図３に示す。この目的のため、切替装置３０は、それぞれ異なる長さの衝撃ツール１６を選択する。衝撃ツール１６を交換することにより、間隔ｄ、したがって、衝撃角度αを調整することができる。
【０２３８】
衝撃ツール１６の長さを、好ましくは伸縮自在に調整可能とするようにしてもよい。対応する構造を図１２に示す。ここで、図１２は、衝撃装置１の詳細を示し、この衝撃装置１は図３の実施形態と実質的に同一の設計のものであってもよい。
【０２３９】
図１２では、２つの伸縮衝撃ツール１６が概略的に示されている。衝撃ツール１６の長さが調整可能であることにより、偏向部２０の偏向点ＵＰと衝撃ヘッド２１の前端２１との間の間隔ｄが調整可能である。したがって、このように、衝撃角度α及び、場合によっては、衝撃位置も間接的に影響を受ける可能性がある。
【０２４０】
図１に示すように、複数の衝撃装置１を使用するようにしてもよい。その場合、偏向点ＵＰと衝撃ヘッド２１との間のそれぞれの間隔ｄは、少なくとも、２つの衝撃装置１の場合、同一でないことが好ましい。これにより、それぞれの場合において、渡り部８又は一群の渡り部８の衝撃硬化に衝撃装置１を使用することができ、衝撃装置１の衝撃ツール１６は、それぞれ、優先的に与えられる衝撃角度αに既に調整されている。したがって、衝撃装置１の変換は不要である。したがって、クランクシャフト４が２つの異なる有利な衝撃角度αの渡り部８のみを有する場合、対応するように事前に設定された２つの衝撃装置１で十分であることが好ましい。
【０２４１】
例えば、第１の衝撃装置１が衝撃力ＦＳを第１の衝撃角度α１で導入し、第２の衝撃装置１が衝撃力ＦＳを第２の衝撃角度α２で導入するようにしてもよい。衝撃装置１を使用してもよく、その場合、間隔ｄ及び／又は衝撃角度αを異なる方法で調整可能である。従来の衝撃装置を、調整可能な間隔ｄを有する衝撃装置１と組み合わせることもできる。
【０２４２】
少なくとも１つの衝撃ツール１６の縦軸ＬＳとクランクシャフト４の縦軸ＣＫＷに垂直な線ｌＫＷとの間の衝撃角度αが５°〜８０°、好ましくは１０°〜７０°、より好ましくは２０°〜６０°、特に好ましくは３０°〜５５°、特に３５°〜５０°となるようにしてもよい。
【０２４３】
その関係を説明するために、図１３及び１４に、衝撃ツール１６の衝撃ヘッド２１と、クランクシャフト４の例示的な渡り部８とを非常に概略的に示す拡大図を示す。ここで、図１３に示す例では、第１の衝撃角度α１で衝撃硬化を行い、図１４に示す例では、第２の衝撃角度α２で衝撃硬化を行う。
【０２４４】
偏向部２０の偏向点ＵＰと衝撃ツール１６の衝撃ヘッド２１との間の間隔ｄを変更して、対応する衝撃角度αを調整することにより、衝撃力ＦＳの方向を事前に定義することができ、これにより、衝撃硬化の最大効果の範囲を目的に応じて設定することができる。
【０２４５】
例えば、断面積の低減、ボア、又は他の幾何学的条件が必要とされる場合、衝撃力ＦＳを目的に応じて低減させたり、動作の方向を変更したりするようにしてもよい。
【０２４６】
渡り部８の最大荷重ＭＡＸ１又はＭＡＸ２のプロファイルに従って衝撃角度αを選択するのが好ましく、最大荷重ＭＡＸ１又はＭＡＸ２のプロファイルは、それぞれの種類のクランクシャフトのシミュレーション及び／又は計算及び／又は一連のテストに基づいて決定される。
【０２４７】
図１４では、衝撃ヘッド２１が、図１３に示す渡り部８の位置と同じ位置に配置されている。しかしながら、偏向部２０の偏向点ＵＰと衝撃ヘッド２１との間の間隔ｄは、衝撃ツール１６が図１３の場合とは異なる衝撃角度αで位置合わせされるように設定される。このことから、衝撃ヘッド２１は基本的に図１３に示す位置と同じ位置に適用されるが、衝撃が角度α２で渡り部８に導入される。
【０２４８】
図１４に示す例は、説明のために、図１３に示す例と特に大きく異なる。
【０２４９】
基本的に、渡り部８における衝撃ヘッド２１の位置を変更することもできる。すなわち、渡り部８の周囲に沿った異なる位置に衝撃ヘッド２１を適用することもでき、同時に、衝撃角度αが可変であってもよい。
【０２５０】
衝撃ヘッド２１は、半径ｒＳを有していてもよい。半径ｒＳの大きさは、渡り部８の７５％〜９９％、好ましくは渡り部８の８５％〜９８％、特に好ましくは渡り部８の８５％〜９５％となる。衝撃ヘッド２１の半径ｒＳは、渡り部８に実質的に対応することが好ましい。
【０２５１】
図１５（及び後続の図１６〜１８）は、主軸受ジャーナル６とクランクウェブ７との間の例示的な渡り部８を示し、本例では、衝撃ツール１６の衝撃ヘッド２１による衝撃痕２８が、主軸受ジャーナル６の周囲を環状に取り囲むように延びる渡り部８に沿って重なり合うように衝撃硬化を行う。
【０２５２】
このような衝撃硬化を実現するために、装置による非常に正確な加工又は動作が必要である。
【０２５３】
特に、衝撃間隔が狭く設定されている場合、その後の衝撃の間、衝撃ヘッド２１が先行する衝撃の衝撃痕２８に少なくとも部分的に侵入する。これにより、その衝撃力がクランクシャフト４のリセット回転動作を引き起こす。このような回転運動を防止するために、既に例示した拘束装置１２を提供及び設計してもよい。駆動装置３の回転方向と反対にクランクシャフト４が回転することを防止するように拘束装置１２を設計することが特に有利である。
【０２５４】
したがって、本発明の特定の変形例では、衝撃硬化のために、最初にクランクシャフト４を駆動装置３によって回転方向に沿って衝撃位置に回転させるようにしてもよく、拘束装置１２は、衝撃位置でクランクシャフト４を拘束するために設けられる。拘束装置１２が衝撃位置でクランクシャフト４を拘束した後、少なくとも１つの衝撃ツール１６によって衝撃力ＦＳが少なくとも１つの渡り部８に導入される。
【０２５５】
図１６及び１７は、主軸受ジャーナル６とクランクウェブ７との間の別の例示的な渡り部８を示し、本例において、衝撃ツール１６の衝撃ヘッド２１による衝撃痕２８は、主軸受ジャーナル６の周囲を環状に取り囲むように延びる渡り部８に沿って重なり合う。上述のように、その後の衝撃の間、衝撃ヘッド２１が先行する衝撃の衝撃痕２８に少なくとも部分的に侵入してもよく、各図に示す衝撃痕２８の「軌跡」を生じさせることができる。図１５の例とは対照的に、図１６〜１８において、衝撃痕２８の軌跡は、簡略化して示されている。
【０２５６】
図１６及び１７では、異なる衝撃角度αで衝撃硬化が行われている。ここで、図の例示のために、衝撃痕２８は、渡り部８の周囲にはっきりと見えるように相互にオフセットして延びている。
【０２５７】
上記オフセットは、実際には小さいことが好ましいが、それでも効果的である。オフセットプロファイルは、図１４に示すように、衝撃角度αを変更すること、及び／又は衝撃ヘッド２１が適用される点を変更することによって実現することができる。図１６に示す渡り部８の場合、図１７に示す渡り部８の場合よりも小さい衝撃角度αを選択した。すなわち、偏向部２０の偏向点ＵＰと衝撃ツール１６の衝撃ヘッド２１との間の間隔ｄを、図１６による方法の場合に、図１７に示す渡り部８の場合よりも大きくなるように設定した。したがって、衝撃痕２８は、図１６に示す渡り部８の場合よりも図１７に示す渡り部８の場合の方が、長く伸び、あるいは、クランクウェブ７の近くに伸びる。
【０２５８】
渡り部８の衝撃硬化中に、連接棒軸受ジャーナル５及び／又は主軸受ジャーナル６の周囲を環状に取り囲むように延びるそれぞれの渡り部８に沿って、衝撃ツール１６の衝撃角度αを変更するようにしてもよい。これを図１８に示す。
【０２５９】
連接棒軸受ジャーナル５とクランクウェブ７との間のすべての渡り部８を第１の衝撃角度αで衝撃硬化し、主軸受ジャーナル６とクランクウェブ７との間のすべての渡り部８を第２の衝撃角度αで衝撃硬化するようにしてもよい。
【０２６０】
あるいは、連接棒軸受ジャーナル５とクランクウェブ７との間の少なくとも２つの渡り部８を異なる衝撃角度αで衝撃硬化し、かつ／あるいは、主軸受ジャーナル６とクランクウェブ７との間の少なくとも２つの渡り部８を異なる衝撃角度αで衝撃硬化し、かつ／あるいは、連接棒軸受ジャーナル５とクランクウェブ７との間の少なくとも１つの渡り部８を主軸受ジャーナル６とクランクウェブ７との間の渡り部８とは異なる衝撃角度αで衝撃硬化するようにしてもよい。
【０２６１】
図１９は、拘束装置１２を備えた本発明の特定の変形例に関連し、基本的に４つのステップ（回転、拘束、衝撃、解放）を備える方法を示す。
【０２６２】
好ましくは電気モータを備える駆動装置３の動作のために、閉ループ位置制御を用いて、クランクシャフト４をそれぞれの衝撃位置に回転させてもよく、クランクシャフト４は段階的に又は経時的に回転されることが好ましい。
【０２６３】
クランクシャフト４を駆動装置３により衝撃位置に回転させた後、クランクシャフト４は最初に衝撃位置で拘束装置１２に拘束される。
【０２６４】
続いて、衝撃力ＦＳが、少なくとも１つの衝撃ツール１６によってクランクシャフト４の少なくとも１つの渡り部８に導入される。
【０２６５】
好ましくは、駆動装置３のコントローラ及び拘束装置１２のコントローラは、クランクシャフト４が衝撃位置で停止しているときのみ拘束装置１２がクランクシャフト４を拘束するように、相互に同期するのが好ましい。
【０２６６】
さらに、少なくとも１つの衝撃ツール１６により、クランクシャフト４が衝撃位置で拘束されたときのみ衝撃力がクランクシャフト４の渡り部８に導入されるように、拘束装置１２のコントローラ及び少なくとも１つの衝撃ツール１６（又は少なくとも１つの衝撃装置１）のコントローラを同期させることもできる。その後、クランクシャフト４の拘束が再び解除される。
【０２６７】
この方法は、その後、渡り部８に沿って、好ましくは完全に１回転させるために渡り部８の周囲に沿って、又は環状に取り囲む渡り部８に沿って、必要に応じて何度でも繰り返すことができる。本発明によれば、低負荷領域ＢＭＩＮに衝撃力ＦＳを導入しないようにしてもよい。完全に回転させる必要はない。２回以上、例えば２回転又は３回転させることも可能である。
【０２６８】
渡り部８を所望の方法で衝撃硬化した後、衝撃ツール１６又は衝撃装置１全体を硬化対象の次の渡り部８に移動させることができ、その後、ジャーナル５又は６の周囲を環状に取り囲むように延びる次の渡り部８に沿って上記方法（回転、拘束、衝撃、解放）を繰り返すことができる。
【０２６９】
少なくとも１つの衝撃ツール１６又は少なくとも１つの衝撃装置１は、周期的に、例えば、０．１Ｈｚ〜５０Ｈｚのタイミング、好ましくは０．３Ｈｚ〜１０Ｈｚのタイミング、特に好ましくは０．５Ｈｚ〜５Ｈｚのタイミング、特に大変好ましくは０．５Ｈｚ〜３Ｈｚのタイミングで衝撃運動又は衝撃力ＦＳを導入してもよい。
【０２７０】
上記方法を実施するために、開ループ及び／又は閉ループ制御装置２９、好ましくはマイクロプロセッサを備える開ループ及び／又は閉ループ制御装置２９を設けてもよい。開ループ及び／又は閉ループ制御装置２９は、例えば、駆動装置３、拘束装置１２及び／又は少なくとも１つの衝撃ツール１６のそれぞれのコントローラを備えてもよく、あるいは、それらコントローラを実装及び／又は同期させてもよい。
【０２７１】
特に、本発明に係る方法を実施するために、プログラムコード手段を有するコンピュータプログラムを設けてもよく、開ループ及び／又は閉ループ制御装置２９、特にマイクロプロセッサで当該プログラムが実行されることにより、本発明に係る方法が実施される。
【図１】
2020530814.tif 000003
【図２】
2020530814.tif 000004
【図３】
2020530814.tif 000005
【図４】
2020530814.tif 000006
【図５】
2020530814.tif 000007
【図６】
2020530814.tif 000008
【図７】
2020530814.tif 000009
【図８】
2020530814.tif 000010
【図９】
2020530814.tif 000011
【図１０】
2020530814.tif 000012
【図１１】
2020530814.tif 000013
【図１２】
2020530814.tif 000014
【図１３】
2020530814.tif 000015
【図１４】
2020530814.tif 000016
【図１５】
2020530814.tif 000017
【図１６】
2020530814.tif 000018
【図１７】
2020530814.tif 000019
【図１８】
2020530814.tif 000020
【図１９】
2020530814.tif 000021
【国際調査報告】
2020530814.tif 000022
2020530814.tif 000023
2020530814.tif 000024
2020530814.tif 000025